(57)【要約】【課題】個々の保守員の感や経験に頼ることなく、画一的、効率的に発光デバイスの交換時期を判断する。【解決手段】発光デバイス表示装置１から発する光画像を撮影する撮影手段２，３と、撮影された光画像から発光デバイスの寿命を判定する保守用携帯端末４とで構成され、この保守用携帯端末４は、所定段階数のグレースケール表示データ及び寿命判定用しきい値データを記憶するデータ記憶手段２１ａ，２１ｂと、前記撮影された光画像を取り込んで所定段階数に基づく実グレースケールに変換する変換手段２２ａと、前記グレースケール表示データと前記変換された実グレースケールとを表示する表示手段２２ｂと、前記実グレースケールが寿命判定しきい値データに達したとき、発光デバイスが寿命に達したと判定し、交換時期を報知する寿命判定手段２２ｃとを備えた寿命判定装置である。【選択図】図１
2011123431.tif 000002
【特許請求の範囲】
【請求項１】
エレベータの各階乗場に設置される発光デバイス表示装置に取付けられ、または当該発光デバイス表示装置近傍に設置され、当該発光デバイス表示装置から発する光画像を撮影する撮影手段と、この撮影手段で撮影された光画像を取り込んで前記発光デバイス表示装置を構成する発光デバイスの寿命を判定する保守用携帯端末とで構成され、
この保守用携帯端末は、
所定段階数のグレースケール表示データ及び寿命判定用しきい値データを記憶するデータ記憶手段と、
前記撮影手段で撮影された光画像を取り込んで所定段階数のグレースケールに変換するグレースケール変換手段と、
前記データ記憶手段に記憶される所定段階数のグレースケール表示データと前記グレースケール変換手段で変換された実グレースケールとを表示するグレースケール表示手段と、
前記実グレースケールが前記グレースケール表示データの予め定める所定の段階を認識不可とする指示を受けたとき、または前記実グレースケールが前記寿命判定しきい値データに達したとき、前記発光デバイスが寿命に達したと判定し、当該発光デバイスの交換を報知する寿命判定手段とを備えたことを特徴とする発光デバイス表示装置の寿命判定装置。
【請求項２】
請求項１に記載の発光デバイス表示装置の寿命判定装置において、
前記寿命判定手段は、エレベータ号機に対応する特定の乗場階の前記発光デバイス表示装置を構成する発光デバイスが寿命に達したと判定したとき、前記エレベータ号機に対応する他の乗場階の同種及び同時期に設置された発光デバイス表示装置を構成する発光デバイスについても交換を報知することを特徴とする発光デバイス表示装置の寿命判定装置。
【請求項３】
請求項１に記載の発光デバイス表示装置の寿命判定装置において、
前記保守用携帯端末は、前記発光デバイスないし前記発光デバイス表示装置の発注に必要なデータを記憶する発注テーブルと、前記寿命判定手段で前記発光デバイスが寿命に達したと判定したとき、交換対象となる前記発光デバイスないし前記発光デバイス表示装置に関する発注に必要なデータを取り出し、通信ネットワークに接続される発注先となる保守サービスセンタまたは部品センタに送信する発注処理手段とを付加したことを特徴とする発光デバイス表示装置の寿命判定装置。
【請求項４】
請求項１に記載の発光デバイス表示装置の寿命判定装置において、
前記保守用携帯端末は、前記寿命判定手段で前記発光デバイスが寿命に達していないと判定したとき、前回点検時に前記グレースケール変換手段で変換された実グレースケールのレベル値と今回点検時の実グレースケールのレベル値とを比較し、今回レベル値が前回よりも予め定める所定レベル以上低下したとき、エレベータ制御装置経由で該当発光デバイス表示装置にコントラスト増調整信号を送出し、前記発光デバイス表示装置から発する光画像のコントラストを調整するコントラスト調整手段を付加したことを特徴とする発光デバイス表示装置の寿命判定装置。
【請求項５】
請求項４に記載の発光デバイス表示装置の寿命判定装置において、
前記保守用携帯端末は、各点検毎に前記グレースケール変換手段で変換された実グレースケールのレベル値及び前記コントラスト調整手段で調整されたコントラスト調整データ等の過去の履歴データを蓄積保存する履歴データ記憶手段と、今回点検時、前回点検時までの過去の履歴データに基づき、次回点検時までに予め定める交換予測レベルに達すると判断したとき、当該交換予測レベルに達する交換時期を予測し、交換予測時期を報知する交換予測判断手段とを付加したことを特徴とする発光デバイス表示装置の寿命判定装置。
【請求項６】
請求項５に記載の発光デバイス表示装置の寿命判定装置において、
前記交換予測判断手段は、エレベータ号機に対応する特定の乗場階の前記発光デバイス表示装置を構成する発光デバイスに対する交換予測時期を報知したとき、前記エレベータ号機に対応する他の乗場階の同種及び同時期に設置された発光デバイス表示装置を構成する発光デバイスについても同じ交換予測時期を報知することを特徴とする発光デバイス表示装置の寿命判定装置。
【請求項７】
請求項５に記載の発光デバイス表示装置の寿命判定装置において、
前記保守用携帯端末は、前記発光デバイスないし前記発光デバイス表示装置の発注に必要なデータを記憶する発注テーブルと、前記交換予測判断手段で前記発光デバイスに対する前記交換時期を予測したとき、交換予測対象となる前記発光デバイスないし前記発光デバイス表示装置に関する発注に必要なデータを取り出し、通信ネットワークに接続される発注先となる保守サービスセンタまたは部品センタに送信する発注処理手段とを付加したことを特徴とする発光デバイス表示装置の寿命判定装置。
【発明の詳細な説明】
【技術分野】
【０００１】
本発明は、エレベータの各乗場階等に設置される表示装置に使用されるＬＥＤ（発光ダイオード）等の発光デバイスの寿命を判定する発光デバイス表示装置の寿命判定装置に関する。
【背景技術】
【０００２】
発光デバイスを用いたエレベータ表示装置としては、エレベータ号機の階床位置を表示する液晶（ＬＣＤ）の表示装置と、この表示装置の周辺に配置されエレベータの操作を行う操作釦と、操作釦を通常操作モードからコントラスト操作モードに切替える操作を行うモード切替えスイッチと、これら表示装置、操作釦及びモード切替えスイッチが接続され、内部的には表示装置のコントラストを変化させる電圧変換装置，ポテンシャルメータ及びＣＰＵを備えた制御装置とで構成され、保守員などがモード切替えスイッチを操作したとき、ＣＰＵがモード切替え信号と判断し、操作釦を通常操作モードからコントラスト操作モードに変更させる。その後、操作釦により電圧変換装置及びポテンシャルメータを操作し、前記ＣＰＵを介して液晶表示装置のコントラストを調整し、最適なコントラストになるように設定する（例えば、特許文献１参照）。
【０００３】
また、近年、ＬＥＤ（発光ダイオード）等の発光デバイスを用いた表示装置も開発されてきている。
【先行技術文献】
【特許文献】
【０００４】
【特許文献１】特開２０００−２９３１１８号公報
【発明の概要】
【発明が解決しようとする課題】
【０００５】
ところで、以上のようなＬＥＤ等の発光デバイスは、従来の一般的な表示装置とは異なり、玉切れという現象が無いことから、どのように寿命を判定するか全く分からない。その結果、ＬＥＤ等の交換時期が特定し難く、個々の保守員の感や経験に頼るしかなく、今後，保守員ごとに交換時期に大きなバラツキが出てくることも予想される。
【０００６】
本発明は上記事情に鑑みてなされたもので、個々の保守員の感や経験に頼ることなく、画一的、かつ効率的に発光デバイスの交換時期を判断し、あるいは交換時期を予測する発光デバイス表示装置の寿命判定装置を提供することを目的とする。
【０００７】
また、本発明の他の目的は、発光デバイスの交換時期を判断し、あるいは交換時期を予測した時、自動的に発光デバイスの発注処理を実施し、保守員の負担軽減を図る発光デバイス表示装置の寿命判定装置を提供することにある。
【課題を解決するための手段】
【０００８】
（１）  上記課題を解決するために、本発明に係る発光デバイス表示装置の寿命判定装置は、エレベータの各階乗場に設置される発光デバイス表示装置から発する光画像を撮影する撮影手段と、この撮影手段で撮影された光画像を取り込んで前記発光デバイス表示装置を構成する発光デバイスの寿命を判定する保守用携帯端末とで構成され、
この保守用携帯端末は、所定段階数のグレースケール表示データ及び寿命判定用しきい値データを記憶するデータ記憶手段と、前記撮影手段で撮影された光画像を取り込んで所定段階数のグレースケールに変換するグレースケール変換手段と、前記データ記憶手段に記憶される所定段階数のグレースケール表示データと前記グレースケール変換手段で変換された実グレースケールとを表示するグレースケール表示手段と、前記実グレースケールが前記グレースケール表示データの予め定める所定の段階を認識不可とする指示を受けたとき、または前記実グレースケールが前記寿命判定しきい値データに達したとき、前記発光デバイスが寿命に達したと判定し、当該発光デバイスの交換を報知する寿命判定手段とを備えた構成である。
【０００９】
（２）  また、本発明に係る発光デバイス表示装置の寿命判定装置における保守用携帯端末としては、前記（１）に記載する構成に新たに、前記寿命判定手段で前記発光デバイスが寿命に達していないと判定したとき、前回点検時に前記グレースケール変換手段で変換された実グレースケールのレベル値と今回点検時の実グレースケールのレベル値とを比較し、今回レベル値が前回よりも予め定める所定レベル以上低下したとき、エレベータ制御装置経由で該当発光デバイス表示装置にコントラスト増調整信号を送出し、前記発光デバイス表示装置から発する光画像のコントラストを調整するコントラスト調整手段を設けた構成である。
【００１０】
（３）  さらに、本発明に係る発光デバイス表示装置の寿命判定装置における保守用携帯端末としては、前記（２）の構成に新たに、各点検毎に前記グレースケール変換手段で変換された実グレースケールのレベル値及び前記コントラスト調整手段で調整されたコントラスト調整データ等の過去の履歴データを蓄積保存する履歴データ記憶手段と、今回点検時、前回点検時までの過去の履歴データに基づき、次回点検時までに予め定める交換予測レベルに達すると判断したとき、当該交換予測レベルに達する交換時期を予測し、交換予測時期を報知する交換予測判断手段とを設けた構成である。
【００１１】
（４）  さらに、保守用携帯端末としては、前述したように交換時期と判断し、あるいは交換時期を予測したとき、交換対象または交換予測対象となった発光デバイスないし発光デバイス表示装置に関する発注に必要なデータを取り出し、通信ネットワークに接続される発注先となる保守サービスセンタまたは部品センタに送信する発注処理手段をさらに付加した構成である。
【発明の効果】
【００１２】
本発明によれば、個々の保守員の感や経験に頼ることなく、画一的、かつ効率的に発光デバイスの交換時期を判断でき、あるいは交換時期を予測できる発光デバイス表示装置の寿命判定装置を提供できる。
【００１３】
また、本発明は、発光デバイスの交換時期を判断し、あるいは交換時期を予測した時、自動的に発光デバイスの発注処理を実施し、保守員の負担軽減を図る発光デバイス表示装置の寿命判定装置を提供できる。
【図面の簡単な説明】
【００１４】
【図１】本発明に係る発光デバイス表示装置の寿命判定装置の第１の実施形態を示す構成図。
【図２】部品発注テーブルのデータ配列例を説明する図。
【図３】第１の実施形態における保守用携帯端末の処理動作の一例を説明するフローチャート。
【図４】本発明に係る発光デバイス表示装置の寿命判定装置の第２の実施形態を示す構成図。
【図５】第２の実施形態における保守用携帯端末の処理動作の一例を説明するフローチャート。
【図６】発光デバイス表示装置を構成するＬＥＤの永年使用による実グレースケールの明度の濃淡値または色温度値に対応するレベル変化の推移を説明する図。
【図７】本発明に係る発光デバイス表示装置の寿命判定装置の第３の実施形態を示す構成図。
【図８】第３の実施形態における保守用携帯端末の処理動作の一例を説明するフローチャート。
【発明を実施するための形態】
【００１５】
以下、本発明の実施の形態について図面を参照して説明する。  
（第1の実施形態）  
図１は本発明に係る発光デバイス表示装置の寿命判定装置の第１の実施形態を示す構成図である。
【００１６】
発光デバイス表示装置の寿命判定装置は、各階の乗場に設置される発光デバイス表示装置１と、この発光デバイス表示装置１から発する光画像を撮像する撮影部２と、この撮影部２を撮影駆動する撮影動作制御部３と、保守専用ツールを搭載する汎用のパーソナルコンピュータなどの保守用携帯端末４と、電話通信回線，ＬＡＮやＷＡＮなどの通信ネットワーク５に接続される保守サービスセンタ６及び部品センタ７とで構成されている。
【００１７】
この寿命判定装置は、発光デバイス表示装置１から発する光画像を撮影部２により撮影して取り込み、発光デバイス表示装置１を構成するＬＥＤ（発光ダイオード）の寿命を判定し、部品交換が必要な場合には自動的に発注処理を行うものである。
【００１８】
発光デバイス表示装置１としては、例えば各階乗場の乗場ドア１１または乗場ドア１１近傍の壁面に取付けられる乗場操作パネル１２や乗場ドア１１上部のドア駆動装置（図示せず）を保護するドア駆動装置カバー１３に取付けられるものであって、エレベータ号機の現在階床の位置を表示する乗場インジケータ等に相当するものである。
【００１９】
このような乗場インジケータは、Ｒ（赤）、Ｇ（緑）、Ｂ（青）のＬＥＤ（発光ダイオード）ディスプレイで構成され、エレベータ号機の現在階床の位置をエレベータ利用者へ認識し易いように表示する役割を有している。
【００２０】
なお、発光デバイス表示装置１としては、Ｒ（赤）、Ｇ（緑）、Ｂ（青）のＬＥＤ（発光ダイオード）ディスプレイで構成され、何らかの状態を表示するものであれば、乗場インジケータに限定するものではない。例えば各階乗場でなく、乗りかご内に設置されるＲ（赤）、Ｇ（緑）、Ｂ（青）のＬＥＤ（発光ダイオード）で構成されたものでもよい。
【００２１】
撮影部２は、エレベータ号機の設置時に既に発光デバイス表示装置１内に組込まれ、あるいは定期点検時，故障時に発光デバイス表示装置１の外側カバーを外して発光デバイス表示装置１自体または発光デバイス表示装置１から所定の距離離して設置され、発光デバイス表示装置１から発する光画像を撮像する小型デジタルカメラなどである。
【００２２】
撮影動作制御部３は、撮影部２と一体または分離して取付けられ、保守用携帯端末４からの撮影開始指令を受けたとき、撮影動作に必要な信号を撮影部２に送出する機能を有する。
【００２３】
保守用携帯端末４は、端末内部に内装され、あるいは着脱自体に挿入される記憶装置２１と、寿命判定処理部２２と、キーボード，マウスなどの入力部２３と、表示部２４とで構成され、必要に応じて通信ネットワーク５に有線的または無線的に接続して使用するものである。
【００２４】
記憶装置２１には、所定段階数の寿命判定用グレースケール表示データを記憶するグレースケールデータ記憶領域部２１ａ、寿命判定用しきい値データを記憶するしきい値データ記憶領域部２１ｂ及び部品発注テーブル２１ｃが設けられている。
【００２５】
グレースケールデータ記憶領域部２１ａに記憶される寿命判定用グレースケール表示データは、白と黒の割合が例えば１２段階に変化するように分けられた明度だけをもった無彩色の画像データであって、表示部２４に例えば左右方向に横並びするように表示される（図示（イ）参照）。
【００２６】
しきい値データ記憶部２１ｂには、発光デバイス表示装置１を構成するＬＥＤの寿命を判定するための明度の濃淡値または色温度などのしきい値データであって、例えば１２段階数の明度の濃淡値または色温度値（以下、レベル値とも呼ぶ）のうち、最も黒の割合が多い下位側から例えば３段階のレベル値「３」または４段階のレベル値「４」が寿命判定しきい値データとして設定される。
【００２７】
部品発注テーブル２１ｃは、図２に示すように、例えば保守サービスエリアの各エレベータ設置顧客に関する建物ＩＤ、エレベータ号機ＩＤ、当該号機に関係する各乗場階の部品名、部品数量、部品センタメールアドレス、保守サービスセンタメールアドレスの他、エレベータ号機となる乗りかごについても同様のデータが記憶されている。
【００２８】
寿命判定処理部２２は、発光デバイス表示装置１を構成するＲＧＢのＬＥＤから発する光画像からグレースケールに変換するグレースケール変換手段２２ａ、寿命判定用グレースケール表示データとグレースケール変換手段２２ａで変換された実グレースケールとを表示するグレースケール表示手段２２ｂ、寿命判定手段２２ｃ及び発注処理手段２２ｄが設けられている。
【００２９】
次に、以上のように構成された発光デバイス表示装置の寿命判定装置の作用について、図３を参照して説明する。
【００３０】
保守員が保守専用ツールを搭載した保守用携帯端末４を持って寿命診断対象となる例えばエレベータ設置現場に出向き、当該現場に設置するエレベータ号機に関する点検スイッチを操作して点検モードに設定する。
【００３１】
しかる後、発光デバイス表示装置１の外側カバーを外し、発光デバイス表示装置１内に例えば撮影動作制御部３を含む撮影部２が設置されていない場合、発光デバイス表示装置１自体または発光デバイス表示装置１に向けてその近傍に撮影動作制御部３を含む撮影部２を設置し、さらに、これら撮影部２及び撮影動作制御部３を保守用携帯端末４の入出力ポート（図示せず）などに接続し、撮影準備状態に入る。
【００３２】
この状態において、保守員が入力部２３から撮影開始の指示を入力すると、保守用携帯端末４の寿命判定処理部２２は、撮影開始指示有りを判断し（Ｓ１）、出力ポートを介して駆動制御指令を撮影動作制御部３に送出する（Ｓ２）。ここで、撮影動作制御部３は、撮影条件データ（例えば撮影電圧・電流）を含む撮影動作開始指令を撮影部２に送り、撮影を開始させる。
【００３３】
ここで、寿命判定処理部２２は、撮影開始とともに、撮影部２で撮影される発光デバイス表示装置１から発する光画像を取り込み、記憶装置２１に保存する（Ｓ３）。
【００３４】
引き続き、寿命判定処理部２２はグレースケール変換手段２２ａを実行する。グレースケール変換手段２２ａは、撮影部２から取り込んで記憶した光画像データを保守専用ツールのもとに例えば１２段階の何れかの実グレースケールに変換し（Ｓ４）、記憶装置２１に保存する。
【００３５】
しかる後、寿命判定処理部２２はグレースケール表示手段２２ｂを実行する。グレースケール表示手段２２ｂは、グレースケールデータ記憶領域部２１ａに記憶される例えば１２段階の寿命判定用グレースケール表示データを読み出して表示部２４に図示（イ）のように表示した後、記憶装置２１からグレースケール変換手段２２ａで変換された実グレースケールを読み出し、前記寿命判定用グレースケール表示データの下側に図示（ロ）のように表示する（Ｓ５）。
【００３６】
ここで、寿命判定手段２２ｃは、人為的又は自動的に発光デバイス表示装置１を構成するＬＥＤディスプレイの寿命を判定する（Ｓ６）。
【００３７】
人為的には、２通りの寿命判定処理が考えられる。
【００３８】
人為的に判定する１番目は、表示部２４に１２段階の寿命判定用グレースケール表示データ（イ）のみを表示し、当該寿命判定用グレースケール表示データ（イ）のうち、保守員が例えば下位側から３段階または４段階のレベル値のスケールが区別できなくなったとき、交換時期と判定する。
【００３９】
人為的に判定する２番目は、表示部２４に１２段階の寿命判定用グレースケール表示データ（イ）と実グレースケール（ロ）とを表示し、保守員が相互のグレースケールを確認し、実グレースケールの明度の濃淡値または色温度値に基づくレベル値が１２段階の寿命判定用グレースケール表示データの何れの明度の濃淡値または色温度値に基づくレベル値に近いか否かを判断する。ここで、実グレースケールのレベルが１２段階の寿命判定用グレースケール表示データの例えば下位側から例えば３段階のレベル「３」とほぼ等しいとき、寿命とする判定指示入力に基づき、ＬＥＤディスプレイのＬＥＤが寿命（交換時期）であると判定し（Ｓ６）、部品交換時期であることを表示部２４に報知する（Ｓ７）。
【００４０】
一方、自動的には、次のように寿命を判定する。予め記憶する保守専用ツールに従い、しきい値データ記憶部２１ｂから寿命判定用しきい値データを読み出し、実グレースケールのレベル値と比較し、実グレースケールのレベル値が寿命判定用しきい値データの下位側から３段階または４段階のレベル値に相当するとき、ＬＥＤディスプレイのＬＥＤが寿命（交換時期）であると判定し（Ｓ６）、部品交換時期であることを表示部２４に報知する（Ｓ７）。
【００４１】
さらに、入力部２３からの確認指示が有ったか否かを判断し（Ｓ８）、確認指示有りの場合には発注処理手段２２ｄを実行する。
【００４２】
発注処理手段２２ｄは、予め発注フラグが設定されているか否かを判断し（Ｓ９）、設定されている場合に限り、記憶装置２１から図２に示す部品発注テーブル２１ｃを表示部２４に表示し、発注に必要なデータ（例えば号機ＩＤ、乗場階、部品名及び部品センタメールアドレスまたは保守サービスセンタメールアドレス等）を選択し、保守サービスセンタ６または部品センタ７に発注データを送信する（Ｓ１０）。
【００４３】
なお、保守サービスセンタメールアドレスに基づき、保守サービスセンタ６に発注データを送信し、保守サービスセンタ６から部品センタ７に発注するようにすれば、保守サービスセンタ６側では、該当建物の発光デバイス表示装置１のＬＥＤ交換作業の計画を立て易い。
【００４４】
従って、以上のような実施の形態によれば、予め例えば１２段階の寿命判定用グレースケールを保存する一方、撮影部２で撮影された発光デバイス表示装置１を構成するＬＥＤディスプレイからの光画像を例えば１２段階の何れかの実グレースケールに変換し、この実グレースケールと１２段階の寿命判定用グレースケールとを突き合わせるように表示し、実グレースケールのレベル値が寿命判定用しきい値データの下位側から予め定める所定段階に相当するレベル値であるとき、発光デバイス表示装置１を構成するＬＥＤが寿命であると判定するので、個々の保守員の感や経験に頼ることなく、ＬＥＤの交換時期を画一的に判定でき、作業効率を上げることができる。
【００４５】
また、保守員は、保守用携帯端末４にて発光デバイス表示装置１を構成するＬＥＤの交換時期と判定した時、当該保守用携帯端末４から保守サービスセンタメールアドレスに基づき、保守サービスセンタ６に発注データを送信し、保守サービスセンタ６から部品センタ７に発注するようにすれば、保守サービスセンタ６が該当建物のエレベータ号機に関する発光デバイス表示装置１のＬＥＤの交換作業の計画を作成し易くなる。
【００４６】
（第１の実施形態における変形例）
上記実施の形態では、特定の乗場階（例えば１階）に設置される発光デバイス表示装置１を構成するＬＥＤが交換時期に達したと判定したとき、同時期及び同種のＬＥＤを用いた他の乗場階の発光デバイス表示装置１についても、同様に発光デバイス表示装置１を構成するＬＥＤの交換時期であると報知し、ＬＥＤの交換を促すようにしてもよい。
【００４７】
これにより、高層ビルにおいても、各乗場階の発光デバイス表示装置１のＬＥＤ寿命（交換）判定作業及び建物全体の各発光デバイス表示装置１のＬＥＤ交換作業を円滑に進めることができる。
【００４８】
なお、このときの発注データとしては、複数の乗場階に設置される各発光デバイス表示装置１に使用されるＬＥＤの数量を加算したトータル数量で発注する。
【００４９】
（第２の実施形態）  
図４は本発明に係る発光デバイス表示装置の寿命判定装置の第２の実施形態を示す構成図である。同図において、図１と同一部分には同一符号を付し、重複する部分の説明は省略する。
【００５０】
この発光デバイス表示装置の寿命判定装置は、第１の実施形態と同様に、発光デバイス表示装置１と、この表示装置１を構成するＲ（赤）、Ｇ（緑）、Ｂ（青）のＬＥＤ（発光ダイオード）から発する光のコントラストを調整するコントラスト調整機能８ａを備えたエレベータ制御装置８と、撮影部２と、撮影動作制御部３と、エレベータ制御装置８のコントラスト調整機能８ａに連なる入力ポートまたは内部入力インターフェイスに接続され、コントラスト調整信号を送出する汎用のパーソナルコンピュータなどの保守用携帯端末４とで構成され、発光デバイス表示装置１の使用年月の経過に伴って、Ｒ（赤）、Ｇ（緑）、Ｂ（青）のＬＥＤ（発光ダイオード）ディスプレイのコントラストの低下を補うように調整し、そのコントラスト調整結果を他の乗場階などに設置される発光デバイス表示装置１にも同様に適用するものである。
【００５１】
この第２の実施形態は、コントラストの調整に関する構成を除けば、第１の実施形態とほぼ同じ構成である。
【００５２】
すなわち、エレベータ制御装置８のコントラスト調整機能８ａに連なる入力ポートまたは内部入力インターフェイス（図示せず）に保守用携帯端末４が接続され、保守用携帯端末４からコントラスト調整信号がコントラスト調整機能８ａに送られ、発光デバイス表示装置１を構成するＬＥＤディスプレイのコントラストを調整する。
【００５３】
保守用携帯端末４の寿命判定処理部２２としては、グレースケール変換手段２２ａ、グレースケール表示手段２２ｂ及び寿命判定手段２２の他、新たにコントラスト調整手段２２ｅが設けられる。
【００５４】
また、記憶装置２１には、第１の実施の形態と同様に、所定段階の寿命判定用グレースケール表示データを記憶するグレースケールデータ記憶領域部２１ａ及び寿命判定用しきい値データを記憶するしきい値データ記憶領域部２１ｂの他、新たにコントラスト調整テーブル２１ｄが設けられている。
【００５５】
第２の実施形態は、入力部２３からコントラスト増・減調整指示信号を入力するか、あるいは予め表示部２４にコントラスト調整用アイコン２４ａを表示し、当該アイコン２４ａをクリックしてコントラスト増・減調整信号を入力できる構成となっている。
【００５６】
また、エレベータ制御装置８のコントラスト調整機能８ａ（例えば、特許文献１の電圧変換装置及びデジタルポテンショメータの組合せ）が設けられ、保守用携帯端末４から送られてくるコントラスト増・減調整信号に従って、デジタルポテンショメータを可変し、発光デバイス表示装置１のＬＥＤのコントラストを変化させる信号を生成し、テールコードその他適宜な信号線を通して発光デバイス表示装置１に送出する。
【００５７】
次に、以上のように構成された発光デバイス表示装置の寿命判定装置の作用について、図５を参照して説明する。
【００５８】
保守用携帯端末４の寿命判定処理部２２は、図２に示すステップＳ１〜Ｓ１０と同様の処理を行うが、ここではそれらステップＳ１〜Ｓ１０の処理の説明を省略し、寿命判定手段２２ｃにて、部品交換時期でないと判定されたときの処理例について説明する。
【００５９】
すなわち、寿命判定手段２２ｃでは、１２段階の寿命判定用グレースケールと実グレースケールとを比較し、実グレースケールのレベル値が１２段階の寿命判定用グレースケールの下位側から３段階（レベル値「３」）ないし４段階（レベル値「４」）とほぼ等しいか否か、つまりＬＥＤの交換時期に達したか否かを判定する（Ｓ６）。
【００６０】
ここで、交換時期に達していないと判定されたとき、コントラスト調整手段２２ｅを実行する。
【００６１】
コントラスト調整手段２２ｅは、例えば前回点検時にグレースケール変換手段２２ａで変換されて記憶装置２１に記憶された実グレースケールのレベル値と今回の実グレースケールのレベル値とを比較し、今回レベル値が前回よりも予め定める所定レベル以上低下していると判断したとき、コントラスト調整必要有りと判断する（Ｓ１１）。
【００６２】
そこで、保守員は、図４に示すように保守用携帯端末４の入力部２３または表示部２４のコントラスト調整用アイコン２４ａを操作し、保守用携帯端末４からエレベータ制御装置８のコントラスト調整機能８ａにコントラスト増調整信号を送る（Ｓ１２）。
【００６３】
このとき、保守用携帯端末４の寿命判定処理部２２は、記憶装置２１に形成されるコントラスト調整テーブル２１ｄにコントラスト調整結果を保存する（Ｓ１３）。すなわち、コントラスト調整テーブル２１ｄには特定の乗場階（例えば１階）の発光デバイス表示装置１に紐付けするように、調整年月日、今回の実グレースケールのレベル値、図６の（ハ）に示す調整レベル値及び調整後のレベル値等を保存し、図６に示すように数十年にわたって保存蓄積していく。
【００６４】
従って、以上のような実施の形態によれば、発光デバイス表示装置１の使用年月の経過に伴い、未だ交換時期に達していないとき、発光デバイス表示装置１のコントラストが所定レベル値以上に低下しているとき、保守用携帯端末４からコントラスト増調整信号を送り、エレベータ制御装置８を介して発光デバイス表示装置１のコントラストを上げるように調整するので、エレベータ利用者は例えばエレベータ号機が現在どの乗場階にいるのか、確実に認識させることができる。
【００６５】
（第２の実施形態における変形例）
（１）  上記実施の形態では、エレベータ制御装置８にコントラスト調整手段２２ｅを備えた保守用携帯端末４を接続し、保守用携帯端末４からエレベータ制御装置８を経由して発光デバイス表示装置１のコントラストを調整したが、例えば乗りかご内のかご操作パネルに設けたコントラストの調整が可能な端子に保守用携帯端末４を接続し、前述と同様に保守用携帯端末４からコントラスト増調整信号をエレベータ制御装置８に送り、乗りかご内だけでなく、乗場側の発光デバイス表示装置１のコントラストも容易に調整できる。
【００６６】
（２）  上記実施の形態では、特定の乗場階（例えば１階）に関する発光デバイス表示装置１のコントラスト調整について述べたが、同様の時期及び同種のＬＥＤを用いている他の階に設置される発光デバイス表示装置１にも適用し、図６の（ハ）に示す調整レベル値をもって同様の発光デバイス表示装置１のコントラストを調整することができる。
【００６７】
これにより、高層ビルにおいても、全乗場階の発光デバイス表示装置１について、コントラストの調整作業を効率よく進めることができる。
【００６８】
（第３の実施形態）  
図７は本発明に係る発光デバイス表示装置の寿命判定装置の第３の実施形態を示す構成図である。なお、同図において、図１，図４と同一部分には同一符号を付し、その重複部分の説明は省略する。
【００６９】
保守用携帯端末４の寿命判定処理部２２としては、グレースケール変換手段２２ａ、グレースケール表示手段２２ｂ、寿命判定手段２２ｃ及びコントラスト調整手段２２ｅの他に、新たに交換予測判断手段２２ｆが設けられる。
【００７０】
また、記憶装置２１には、第２の実施の形態と同様に、グレースケールデータ記憶領域部２１ａ、しきい値データ記憶領域部２１ｂ及びコントラスト調整テーブル２１ｄが設けられている。
【００７１】
従って、記憶装置２１のコントラスト調整テーブル２１ｄには、前述したように長期間の間に多数回にわたって特定階または全部の乗場階の発光デバイス表示装置１に関する図５に示すコントラスト調整結果のレベル変化データが蓄積される。
【００７２】
そこで、保守用携帯端末４としては、コントラスト調整テーブル２１ｄに蓄積されるコントラスト調整結果のレベル変化データを用いて、発光デバイス表示装置１を構成するＬＥＤの交換時期を予測するものである。
【００７３】
次に、以上のように構成された発光デバイス表示装置の寿命判定装置の作用について、図８を参照して説明する。
【００７４】
保守用携帯端末４の寿命判定処理部２２は、図５に示すステップＳ１〜Ｓ１３と同様の処理を実行するが、ここではそれらステップＳ１〜Ｓ１３の処理の説明を省略し、以下、
新たに追加された交換予測判断手段２２ｆの一連の処理について説明する。
【００７５】
寿命判定処理部２２の寿命判定処理手段２２ｃは、実グレースケールと１２段階の寿命判定用グレースケールとを比較し、実グレースケールのレベル値が１２段階の寿命判定用グレースケールの予め定める３段階または４段階のレベルに達したか、つまり発光デバイス表示装置１を構成するＬＥＤが交換時期に達したか否かを判断する（Ｓ６）。ここで、実グレースケールのレベル値が交換時期に達していないと判断した時、交換予測判断手段２２ｆを実行する。交換予測判断手段２２ｆは、コントラスト調整テーブル２１ｄに蓄積されたコントラスト調整結果のレベル変化データ（前回点検時までの過去の履歴データ）に基づき、次回の点検時までに図６に示す交換予測レベル（下位所定レベル）に達するか否かを判断する（Ｓ２１）。
【００７６】
次回点検時までに交換予測レベル（下位所定レベル）に達しない場合には、第２の実施形態で説明したコントラスト調整手段２２ｅを実行するが、図６から例えば２０１５年１０月点検時、前回点検時までの過去の履歴データに基づき、次回点検時までに交換予測レベルに達すると判断したとき、それ以上コントラストを上げても、エレベータ号機の現在位置を明確に表示できないと判断し、例えば交換予測レベルに達する交換時期を予測し（Ｓ２２）、表示部２４に交換予測時期を表示する（Ｓ２３）。しかる後、入力部２３からの確認指示が有ったか否かを判断し（Ｓ２４）、確認指示有りの場合には終了する。
【００７７】
従って、以上のような実施の形態によれば、前回点検時までの過去のコントラスト調整結果のレベル変化データ（履歴データ）に基づき、次回点検時までに交換予測レベルに達すると判断したとき、エレベータ号機の現在位置を明確に表示できないと判断し、交換予測時期を報知するので、保守員は予め発光デバイス表示装置１を構成するＬＥＤが近い時期に寿命に達することを知ることができ、速やかに必要な対策を立てることができる。
【００７８】
（第３の実施形態における変形例）
（１）  上記実施の形態では、次回点検時までに交換予測レベルに達すると判断したとき、交換予測時期を報知するようにしたが、例えば第１の実施の形態について図３のステップＳ９，Ｓ１０で説明したように、交換予測時期を報知した後に発注データを保守サービスセンタ６または部品センタ７に送信するようにしてもよい。
【００７９】
（２）  また、ある特定の乗場階の発光デバイス表示装置１を構成するＬＥＤに関する交換予測時期を報知したとき、同様の時期及び同種のＬＥＤを用いている他の階に設置される発光デバイス表示装置１にも同様に次回点検時までに交換予測レベルに達すると判断し、ＬＥＤの交換作業や発注処理を進めるようにしてもよい。
【００８０】
（その他の実施形態）  
（１）  上記実施形態では、１２段階のグレースケール表示データは、左右方向に配列するように表示したが、例えば縦方向に配列するように表示してもよい。
【００８１】
（２）  上記実施形態では、１２段階数のグレースケール表示データについて説明したが、例えば１０段階数のグレースケール表示データであってもよい。
【００８２】
（３）  また、上記実施の形態では、特定の乗場階の発光デバイス表示装置１を構成するＬＥＤに関する交換時期または交換予測時期を報知したとき、同一のエレベータ号機に対応する同時期及び同種のＬＥＤを用いている他の乗場階に設置される発光デバイス表示装置１にも交換時期または交換予測時期を適用するが、例えば保守用携帯端末４から発注データを保守サービスセンタ６に送信したとき、保守サービスセンタ６は、予め同一の建物の各エレベータ号機に対応する同時期及び同種のＬＥＤを用いている各乗場階の発光デバイス表示装置を構成するＬＥＤについても、交換時期または交換予測時期を適用することができる。
【００８３】
（４）  エレベータ表示装置１を構成する発光デバイスとしてはＬＥＤ（発光ダイオード）を用いたが、例えば有機ＥＬを用いたものであってもよい。
【００８４】
その他、上記実施の形態に限定されるものでなく、その要旨を逸脱しない範囲で種々変形して実施できる。
【符号の説明】
【００８５】
１…発光デバイス表示装置、２…撮影部、３…撮影動作制御部、４…保守用携帯端末、５…通信ネットワーク、６…保守サービスセンタ、７…部品センタ、８…制御装置、２１…記憶装置、２１ａ…グレースケールデータ記憶領域部、２１ｂ…しきい値データ記憶領域部、２１ｃ…部品発注テーブル、２１ｄ…コントラスト調整テーブル、２２…寿命判定処理部、２２ａ…グレースケール変換手段、２２ｂ…グレースケール表示手段、２２ｃ…寿命判定手段、２２ｄ…発注処理手段、２２ｅ…コントラスト調整手段、２２ｆ…交換予測判断手段、２３…入力部、２４…表示部。
【図１】
2011123431.tif 000003
【図２】
2011123431.tif 000004
【図３】
2011123431.tif 000005
【図４】
2011123431.tif 000006
【図５】
2011123431.tif 000007
【図６】
2011123431.tif 000008
【図７】
2011123431.tif 000009
【図８】
2011123431.tif 000010